(57)【要約】【課題】無線端末において、通信用コンピュータプログラムの実行を中断することなく、ＣＰＵに入力されるクロック信号の周波数を変更する。【解決手段】ＣＰＵ４０は、通信用コンピュータプログラムを切り換えて実行開始すると同時に、当該実行開始される通信用コンピュータプログラムに対応するようにクロック制御部６０を制御してクロック信号の周波数を切り替えさせる。これにより、通信用コンピュータプログラムを切り換えて実行開始すると同時に、クロック制御部６０から出力されるクロック信号の周波数が切り替わる。したがって、通信用コンピュータプログラムの実行を中断することなく、ＣＰＵ４０に入力されるクロック信号の周波数を変更できる。【選択図】        図２
2004241900.tif 000002
【特許請求の範囲】
【請求項１】
無線通信を行うための通信用コンピュータプログラムを無線通信方式毎に記憶する記憶手段と、
クロック信号を生成するクロック生成手段と、
前記クロック生成手段により生成されるクロック信号に基づき動作して、前記記憶された無線通信方式毎の通信用コンピュータプログラムのうちいずれかの通信用コンピュータプログラムを実行するＣＰＵとを備える無線端末であって、
前記ＣＰＵは、前記通信用コンピュータプログラムを切り換えて実行開始すると同時に、当該実行開始される通信用コンピュータプログラムに対応するように前記クロック生成手段を制御して前記クロック信号の周波数を切り替えさせることを特徴とする無線端末。
【請求項２】
前記クロック信号の周波数設定値を前記無線通信方式毎に記憶する周波数記憶手段を有し、
前記ＣＰＵは、前記記憶される無線通信方式毎の周波数設定値に基づき、前記実行開始される通信用コンピュータプログラムに対応するように前記クロック生成手段を制御して前記クロック信号の周波数を切り替えさせることを特徴とする請求項１に記載の無線端末。
【請求項３】
前記ＣＰＵが前記無線通信方式毎の通信用コンピュータプログラムを実行しているとき、前記ＣＰＵの負荷状況を前記無線通信方式毎に検出するとともに、この検出される前記無線通信方式毎の負荷状況を記憶する負荷検出手段を有し、
前記ＣＰＵは、前記記憶された前記無線通信方式毎の負荷状況に基づき、前記実行開始される通信用コンピュータプログラムに対応するクロック信号の周波数を求めるとともに、この求められた周波数のクロック信号を生成させるように前記クロック生成手段を制御することを特徴とする請求項１に記載の無線端末。
【発明の詳細な説明】
【０００１】
【発明の属する技術分野】
本発明は、複数の無線通信方式の無線通信に対応可能な無線端末に関する。
【０００２】
【従来の技術】
従来、ＣＰＵ（中央処理装置）によるアプリケーションプログラムの実行中に、ＣＰＵに電力を供給するためのバッテリの残容量、ＣＰＵの発熱温度、ＣＰＵの負荷状態を検出し、それらの検出結果に従って、ＣＰＵに入力されるクロック信号の周波数を切り換えるようにするクロック制御システムが提案されている（例えば、特許文献１参照）。
【０００３】
このシステムによれば、アプリケーションプログラムが実行中であっても、クロック信号の周波数をダイナミックに変更し、アプリケーションプログラムの実行に必要な最低限の周波数でＣＰＵを動作させることができ、無駄な消費電力を防止することができる。
【０００４】
また、無線通信を行うための通信用コンピュータプログラムを無線通信方式毎に記憶するメモリと、この無線通信方式毎の通信用コンピュータプログラムのうちいずれかの通信用コンピュータプログラムを選択して実行するＣＰＵとを備え、複数の無線通信方式の無線通信に対応可能なソフトウェア無線端末が提案されている。
【０００５】
【特許文献１】
特開平９−２３７１３２号公報
【０００６】
【発明が解決しようとする課題】
ところで、本発明者が、上述したソフトウェア無線端末にクロック制御システムを適用することを検討した。この検討によれば、クロック信号の周波数を変更することができても、通信用コンピュータプログラムの実行が中断されて、この通信用コンピュータプログラムを改めて実行し直すことが必要で、通信を中断しなければならなくなることが分かった。
【０００７】
本発明は、上記点に鑑み、通信用コンピュータプログラムの実行を中断することなく、ＣＰＵに入力されるクロック信号の周波数を変更できるようにした無線端末を提供することを目的とする。
【０００８】
【課題を解決するための手段】
本発明は、上記目的を達成するために、請求項１に記載の発明では、無線通信を行うための通信用コンピュータプログラムを無線通信方式毎に記憶する記憶手段と、クロック信号を生成するクロック生成手段と、クロック生成手段により生成されるクロック信号に基づき動作して、記憶された無線通信方式毎の通信用コンピュータプログラムのうちいずれかの通信用コンピュータプログラムを実行するＣＰＵとを備える無線端末であって、ＣＰＵは、通信用コンピュータプログラムを切り換えて実行開始すると同時に、当該実行開始される通信用コンピュータプログラムに対応するようにクロック生成手段を制御してクロック信号の周波数を切り替えさせることを特徴とする。
【０００９】
これにより、通信用コンピュータプログラムを切り換えて実行開始すると同時に、クロック生成手段から出力されるクロック信号の周波数が切り替わる。したがって、通信用コンピュータプログラムの実行を中断することなく、ＣＰＵに入力されるクロック信号の周波数を変更できる。
【００１０】
請求項２に記載の発明では、クロック信号の周波数設定値を無線通信方式毎に記憶する周波数記憶手段を有し、ＣＰＵは、記憶される無線通信方式毎の周波数設定値に基づき、実行開始される通信用コンピュータプログラムに対応するようにクロック生成手段を制御してクロック信号の周波数を切り替えさせることを特徴とする。
【００１１】
請求項３に記載の発明では、ＣＰＵが無線通信方式毎の通信用コンピュータプログラムを実行しているとき、ＣＰＵの負荷状況を無線通信方式毎に検出するとともに、この検出される無線通信方式毎の負荷状況を記憶する負荷検出手段を有し、ＣＰＵは、記憶された無線通信方式毎の負荷状況に基づき、実行開始される通信用コンピュータプログラムに対応するクロック信号の周波数を求めるとともに、この求められた周波数のクロック信号を生成させるようにクロック生成手段を制御することを特徴とする。
【００１２】
これによれば、クロック信号の周波数設定値を無線通信方式毎に記憶することなく、実行開始される通信用コンピュータプログラムに対応する周波数でクロック信号を生成してＣＰＵに入力することができる。
【００１３】
因みに、上記各手段の括弧内の符号は、後述する実施形態に記載の具体的手段との対応関係を示す一例である。
【００１４】
【発明の実施の形態】
（第１実施形態）
図１に本発明の無線端末が適用される無線通信ネットワークの第１実施形態を示す。
【００１５】
無線通信ネットワークは、図１に示すように、ソフトウェア無線端末１００、基地局ＢＳ１−１、ＢＳ１−２、ＢＳ１−３、及び基地局ＢＳ２−１、ＢＳ２−２、ＢＳ２−３を備えており、ソフトウェア無線端末１００は、複数の無線通信方式の無線通信に対応可能に構成されている。なお、ソフトウェア無線端末１００の構成は後述する。また、以下、ソフトウェア無線端末１００を、単に無線端末１００という。
【００１６】
基地局ＢＳ１−１、ＢＳ１−２、ＢＳ１−３は、無線通信方式１にて無線端末１００との間でそれぞれ無線通信する。また、基地局ＢＳ２−１、ＢＳ２−２、ＢＳ２−３は、無線通信方式２にて無線端末１００との間でそれぞれ無線通信する。
【００１７】
なお、無線通信方式１、２としては、変復調方式や通信プロトコル等が相互に異なる通信方式であって、例えば、無線ＬＡＮ方式、ＰＨＳ方式、ＰＤＣ方式、ＣＤＭＡ方式などの各種の通信方式が用いられる。
【００１８】
次に、無線端末１００の概略構成について図２を用いて説明する。無線端末１００は、図２に示すように、アンテナ１０ａ、１０ｂ、受信部２０ａ、２０ｂ、送信部２５ａ、２５ｂ、受信信号選択部３０、ＣＰＵ４０、通信方式選択部５０、クロック制御部６０、および記憶部７０から構成されている。
【００１９】
受信部２０ａは、アンテナ１０ａを介して受信される受信信号に復調処理を施すことにより、基地局ＢＳ１−１、ＢＳ１−２、ＢＳ１−３のうちいずれかの基地局から受信される受信信号、つまり無線通信方式１の受信信号を抽出する。
【００２０】
受信部２０ｂは、アンテナ１０ｂを介して受信される受信信号に復調処理を施すことにより、基地局ＢＳ２−１、ＢＳ２−２、ＢＳ２−３のうちいずれかの基地局から受信される受信信号、つまり無線通信方式２の受信信号を抽出する。
【００２１】
送信部２５ａは、無線通信方式１に対応する変調方式にて送信信号を変調してアンテナ１０ａから送信させるものであり、送信部２５ｂは、無線通信方式２に対応する変調方式にて送信信号を変調してアンテナ１０ｂから送信させる。また、受信信号選択部３０は、例えば、半導体リレーなどから構成されたもので、受信部２０ａ、２０ｂのうち一方の受信部から出力される出力信号だけを選択してＣＰＵ４０に与える。
【００２２】
ＣＰＵ４０は、クロック信号に基づき動作して、無線通信方式毎の通信用コンピュータプログラムのうちいずれかのコンピュータプログラムを実行するための無線通信処理、通信用コンピュータプログラムを切り換えて実行開始するときにこの実行開始される通信用コンピュータプログラムに対応してクロック信号の周波数を変更するようにクロック制御部６０を制御するクロック制御処理などを実行する。
【００２３】
クロック制御部６０は、クロック生成手段をなすもので、ＰＬＬ回路等から構成されており、クロック制御部６０は、ＣＰＵ４０の動作に必要なクロック信号を生成するものであって、ＣＰＵ４０から制御されてクロック信号の周波数を変更する。
【００２４】
記憶部７０は、周波数記憶手段をなすものであって、ＲＡＭ、不揮発性メモリ等から構成されており、記憶部７０は、無線通信方式毎の通信用コンピュータプログラム以外に、ＣＰＵ４０の処理に必要なコンピュータプログラムを記憶するとともに、ＣＰＵ４０の処理に伴うデータを記憶する。また、記憶部７０には、無線通信方式毎のクロック設定値が記憶されている。
【００２５】
ここで、クロック設定値とは、無線通信方式毎の通信用コンピュータプログラムをＣＰＵ４０で実行する上でＣＰＵ４０の動作に最低限必要なクロック信号の周波数の値であって、予め計測されたものが用いられている。
【００２６】
通信方式選択部５０は、図３に示すように、受信電力測定部５１、５２および受信電力比較部５３から構成されており、受信電力測定部５１は、受信部２０ａにより抽出される無線通信方式１の受信信号の受信電力を一定周期毎に計測する。一方、受信電力測定部５２は、受信部２０ｂにより抽出される無線通信方式２の受信信号の受信電力を一定周期毎に計測し、受信電力比較部５３は、受信電力測定部５１、５２のそれぞれで計測された受信電力の大きさを一定周期毎に比較する。
【００２７】
次に、本実施形態の作動について図４を用いて説明する。図４は、受信信号選択部３０、ＣＰＵ４０、通信方式選択部５０、クロック制御部６０等の作動を示すフローチャートである。
【００２８】
先ず、通信方式選択部５０の受信電力測定部５１が、無線通信方式１の受信信号の受信電力Ｘ１を計測するとともに（Ｓ１００）、受信電力測定部５２が、無線通信方式２の受信信号の受信電力Ｘ２を計測する（Ｓ１１０）。さらに、受信電力比較部５３が、受信電力測定部５１、５２のそれぞれで計測された受信電力Ｘ１、Ｘ２の大きさを比較する（Ｓ１２０）。
【００２９】
ここで、受信電力Ｘ１の方が受信電力Ｘ２に比べて大きい場合には（Ｘ１＞Ｘ２）、ＣＰＵ４０が、受信電力比較部５３の比較結果に基づき、無線通信方式１を選択する。これに伴い、ＣＰＵ４０が、無線通信方式１用のクロック設定値を記憶部７０から読み出すとともに（Ｓ１４０）、この無線通信方式１用のクロック設定値に対応するようにクロック制御部６０を制御してクロック信号の周波数を切り替えさせる（Ｓ１５０）。これにより、クロック制御部６０が、無線通信方式１用のクロック設定値に対応する周波数のクロック信号を生成してＣＰＵ４０に与える。
【００３０】
したがって、例えば、このクロック信号の周波数を切替る以前に、クロック制御部６０が、無線通信方式２用のクロック設定値に対応する周波数のクロック信号を生成した場合には、この周波数の切替によって、クロック信号の周波数が、無線通信方式２用の周波数から無線通信方式１用の周波数に変更されることになる。
【００３１】
これと同時に、ＣＰＵ４０は、無線通信方式１用の周波数のクロック信号に基づき動作して、記憶部７０に記憶される無線通信方式１用の通信用コンピュータプログラムの実行を開始する（Ｓ１６０）。このことにより、無線通信方式１用の通信用コンピュータプログラムを切り換えて実行開始されることになる。
【００３２】
この通信用コンピュータプログラムの実行中において、ＣＰＵ４０が、受信信号選択部３０により受信部２０ａの出力信号だけを選択させるとともに、送信部２５ａからアンアテナ１０ａを介して送信信号を送信させる。このことにより、基地局ＢＳ１−１、ＢＳ１−２、ＢＳ１−３のうちいずれかの基地局との間で無線通信方式１での無線通信が行われることになる。
【００３３】
また、Ｓ１２０において、受信電力Ｘ２の方が受信電力Ｘ１に比べて大きい場合には（Ｘ２＞Ｘ１）、ＣＰＵ４０が、受信電力比較部５３の比較結果に基づき、無線通信方式２を選択する（Ｓ１７０）。これに伴い、ＣＰＵ４０が、無線通信方式２用のクロック設定値を記憶部７０から読み出すとともに（Ｓ１８０）、この無線通信方式２用のクロック設定値に対応するようにクロック制御部６０を制御してクロック信号の周波数を切り替えさせる（Ｓ１９０）。これにより、クロック制御部６０が、無線通信方式２用のクロック設定値に対応する周波数のクロック信号を生成してＣＰＵ４０に与える。
【００３４】
したがって、例えば、このクロック信号の周波数を切替る以前に、クロック制御部６０が、無線通信方式１用のクロック設定値に対応する周波数のクロック信号を生成した場合には、この周波数の切替によって、クロック信号の周波数が、無線通信方式１用の周波数から無線通信方式２用の周波数に変更されることになる。
【００３５】
これと同時に、ＣＰＵ４０は、無線通信方式２用の周波数のクロック信号に基づき動作して、記憶部７０に記憶される無線通信方式２用の通信用コンピュータプログラムの実行を開始する（Ｓ２００）。このことにより、無線通信方式２用の通信用コンピュータプログラムを切り換えて実行開始されることになる。
【００３６】
この通信用コンピュータプログラムの実行中において、ＣＰＵ４０が、受信信号選択部３０により受信部２０ｂの出力信号だけを選択させるとともに、送信部２５ｂからアンアテナ１０ｂを介して送信信号を送信させる。このことにより、基地局ＢＳ２−１、ＢＳ２−２、ＢＳ２−３のうちいずれかの基地局との間で無線通信方式２での無線通信が行われることになる。
【００３７】
以下、本実施形態の作用効果を説明する。すなわち、ＣＰＵ４０は、通信用コンピュータプログラムを切り換えて実行開始すると同時に、当該実行開始される通信用コンピュータプログラムに対応するようにクロック制御部６０を制御してクロック信号の周波数を切り替えさせる。これにより、通信用コンピュータプログラムを切り換えて実行開始すると同時に、クロック制御部６０から出力されるクロック信号の周波数が切り替わる。したがって、通信用コンピュータプログラムの実行を中断することなく、ＣＰＵ４０に入力されるクロック信号の周波数を変更できる。
【００３８】
また、上述した従来技術では、ＣＰＵの負荷状況に応じてクロック信号の周波数を切り換えていたので、ＣＰＵの負荷状況を検出する検出手段を必要としていたが、本実施形態では、ＣＰＵの負荷状況を検出する必要がないため、検出手段を必要とせず、従来技術に比べて、製造コストを低減することができる。
【００３９】
（第２実施形態）
上述の実施形態では、無線通信方式毎の通信用コンピュータプログラムをＣＰＵ４０で実行させるのに最低限必要なクロック信号の周波数（以下、最低クロック周波数という）をクロック設定値として予め記憶しておく例を示したが、これに代えて、本実施形態では、当該最低クロック周波数を計算させる。この場合の無線端末１００の構成を図５に示す。
【００４０】
本実施形態の無線端末１００は、図５に示すように、図２に示す構成にＣＰＵ負荷検出部８０が追加されたものであり、ＣＰＵ負荷検出部８０は、後述するように、ＣＰＵ４０の負荷状況を検出するものである。
【００４１】
次に、本実施形態の作動について図６を用いて説明する。図６は、受信信号選択部３０、ＣＰＵ４０、通信方式選択部５０、クロック制御部６０等の作動を示すフローチャートであり、図６中において、図４と同一ステップは同一作動、或いは実質的に同一作動を示す。
【００４２】
先ず、受信電力比較部５３が受信電力測定部５１、５２により計測される受信電力Ｘ１、Ｘ２を比較して（Ｓ１００〜Ｓ１２０）、その比較結果に基づき、ＣＰＵ４０が、受信電力比較部５３の無線通信方式１を選択した場合には（Ｓ１３０）、無線通信方式１用のＣＰＵ負荷状況を記憶部７０から読み出す（Ｓ１４１）。この無線通信方式１用のＣＰＵ負荷状況としては、先だって記憶部７０に記憶されているもので、後述するように、ＣＰＵ負荷検出部８０により検出されて更新される。
【００４３】
ここで、ＣＰＵ負荷状況としては、コンピュータプログラムを実行しているときのＣＰＵ４０の動作状態を示すもので、その段階により、フルパワーモード、ハイパワーモード、ミディアムパワーモード、ローパワーモードといった４つのモードに対応している。そして、ＣＰＵ負荷状況として検出されるモードと、無線通信方式１用の最低クロック周波数とは、１対１で特定されるように設定され、かつ、無線通信方式１用の最低クロック周波数がモード毎に記憶部７０に記憶されている。
【００４４】
そこで、ＣＰＵ４０が、上述のように無線通信方式１用のＣＰＵ負荷状況を記憶部７０から読み出すと、この読み出したＣＰＵ負荷状況（これは、上述した４つのモードのいずれかに相当する）に該当する無線通信方式１用の最低クロック周波数を記憶部７０から読み出す（Ｓ１４２）。これに伴い、無線通信方式１用の最低クロック周波数に対応するようにクロック制御部６０を制御してクロック信号の周波数を切り替えさせる（Ｓ１５０）。これにより、クロック制御部６０が、無線通信方式１用の最低クロック周波数のクロック信号を生成してＣＰＵ４０に与える。
【００４５】
これと同時に、ＣＰＵ４０は、無線通信方式１用の最低クロック周波数のクロック信号に基づき動作して、記憶部７０に記憶される無線通信方式１用の通信用コンピュータプログラムの実行を開始する（Ｓ１６０）。このことにより、無線通信方式１用の通信用コンピュータプログラムを切り換えて実行開始されることになる。
【００４６】
ここで、ＣＰＵ４０は、無線通信方式１用の通信用コンピュータプログラムの実行中にて、記憶部７０やＩ／Ｏ（図示しない）にアクセスする毎にビジー信号を出力する。そして、ＣＰＵ負荷検出部８０は、ビジー信号の出力回数（以下、ビジー回数という）を一定期間カウントする。すなわち、ＣＰＵの負荷状況を無線通信方式毎に検出することになる。
【００４７】
これに伴い、ＣＰＵ４０は、このカウントされるビジー回数をＣＰＵ負荷状況として取得し、このビジー回数に基づき該当するモードを決める（Ｓ１６１）。
【００４８】
例えば、出力回数がＡ１回以上のときフルパワーモードを決定し、出力回数がＡ１〜Ａ２（＜Ａ１）のときハイパワーモードを決定し、出力回数がＡ２〜Ａ３（＜Ａ２）のときミディアムパワーモードを決定し、出力回数がＡ４（＜Ａ３）のときローパワーモードを決定する。
【００４９】
このようにＣＰＵ負荷状況としてモードが決められると、ＣＰＵ４０が、この決められたモードを記憶部７０に記憶する（Ｓ１６２）。このことにより、ＣＰＵ負荷状況が更新されることになる。なお、ＣＰＵ負荷状況の初期値としては、予め記憶部７０に記憶しておく。
【００５０】
また、Ｓ１２０において、ＣＰＵ４０が、受信電力比較部５３による受信電力Ｘ１、Ｘ２の比較結果に基づき、受信電力比較部５３の無線通信方式２を選択した場合には（Ｓ１７０）、無線通信方式２用のＣＰＵ負荷状況を記憶部７０から読み出す（Ｓ１８１）。
【００５１】
ここで、無線通信方式２用のＣＰＵ負荷状況としては、無線通信方式１用のＣＰＵ負荷状況の場合と同様に、後述するようにＣＰＵ４０により記憶部７０に記憶されるものである。同様に、ＣＰＵ負荷状況として検出されるモードと、無線通信方式２用の最低クロック周波数とは、１対１で特定されるように設定され、かつ、無線通信方式２用の最低クロック周波数がモード毎に記憶部７０に記憶されている。
【００５２】
このため、ＣＰＵ４０が、記憶部７０から読み出したＣＰＵ負荷状況に該当する無線通信方式２用の最低クロック周波数を記憶部７０から読み出す（Ｓ１８２）。これに伴い、無線通信方式２用の最低クロック周波数に対応するようにクロック制御部６０を制御してクロック信号の周波数を切り替えさせる（Ｓ１９０）。これにより、クロック制御部６０が、無線通信方式２用の最低クロック周波数のクロック信号を生成してＣＰＵ４０に与える。これと同時に、ＣＰＵ４０は、無線通信方式２用の最低クロック周波数のクロック信号に基づき動作して、記憶部７０に記憶される無線通信方式２用の通信用コンピュータプログラムの実行を開始する（Ｓ１９０）。
【００５３】
ここで、ＣＰＵ負荷検出部８０は、ＣＰＵ４０から出力されるビジー信号のビジー回数を一定期間カウントする（Ｓ１９１）。これに伴い、ＣＰＵ４０は、このカウントされるビジー回数をＣＰＵ負荷検出部８０から取得し、このビジー回数に基づき、フルパワーモード、ハイパワーモード、ミディアムパワーモード、ローパワーモードのうちいずれかをＣＰＵ負荷状況として決定して記憶部７０に記憶する（Ｓ１９２）。
【００５４】
以上説明した本実施形態によれば、ＣＰＵ４０が無線通信方式毎の通信用コンピュータプログラムを実行しているとき、ＣＰＵ負荷検出部８０が、ＣＰＵ４０の負荷状況を無線通信方式毎に検出するとともに、この検出される無線通信方式毎の負荷状況を記憶し、ＣＰＵ４０は、無線通信方式毎の負荷状況に基づき、実行開始される通信用コンピュータプログラムに対応するクロック信号の周波数を求めるとともに、この求められた周波数のクロック信号を生成させるようにクロック制御部６０を制御する。
【００５５】
これによれば、クロック信号の周波数設定値を予め計測して無線通信方式毎に記憶することなく、実行開始される通信用コンピュータプログラムに対応する周波数でクロック信号を生成してＣＰＵ４０に入力することができる。
【００５６】
なお、上記第２実施形態では、ＣＰＵ負荷検出部８０は、ＣＰＵ負荷状況を決めるのに、フルパワーモード、ハイパワーモード、ミディアムパワーモード、ローパワーモードといった４つのモードを用いた例を示したが、これに限らず、複数モードならば、４つのモード以外のモードを用いてもよい。
【００５７】
さらに、上記記載の機能を実行するプログラムをネットワークを介して配信したり、記憶媒体に保存して配布し、そのプログラムを無線端末の通信機能を利用してダウンロードし、インストールして利用するようにしても良い。
【図面の簡単な説明】
【図１】本発明の無線通信ネットワークの第１実施形態の概略構成を示すブロック図である。
【図２】図１の無線端末の構成を示す図である。
【図３】図２の通信方式選択部の構成を示す図である。
【図４】第１実施形態の作動を示すフローチャートである。
【図５】本発明の無線通信ネットワークの第２実施形態の概略構成を示すブロック図である。
【図６】第２実施形態の作動を示すフローチャートである。
【符号の説明】
１０ａ、１０ｂ…アンアテナ、２０ａ、２０ｂ…受信部、
２５ａ、２５ｂ…送信部、３０…受信信号選択部、４０…ＣＰＵ、
５０…通信方式選択部、６０…クロック制御部、７０…記憶部、
１００…ソフトウェア無線端末、
ＢＳ１−１〜ＢＳ１−３、ＢＳ２−１〜ＢＳ２−３…基地局。
【図１】
2004241900.tif 000003
【図２】
2004241900.tif 000004
【図３】
2004241900.tif 000005
【図４】
2004241900.tif 000006
【図５】
2004241900.tif 000007
【図６】
2004241900.tif 000008